(57)【要約】【課題】  軽量かつ堅牢で、コードリールのメンテナンス性がよく、その上コードリールを効果的に冷却することのできる電動掃除機を提供する。【解決手段】  下ケース１と、上蓋５８を有し下ケース１の上部を覆う上ケース５等からなり、内部に集塵体１０２が収容される集塵室１０１、電動送風機１０５が収容されるモータ室１０３等が設けられた本体ケースを有し、下ケース１は、電動送風機１０５を支持する仕切り板１１、この仕切板１１の両側に設けられて後輪が装着される後輪取付壁１３ａ，１３ｂ、仕切板１１の下に設けられ底部が開口されたコードリール室１０４、及び通気孔２７を有し集塵室１０１とモータ室１０３との間に突設された隔壁２６を一体に構成した。【選択図】      図２
2005261658.tif 000002
【特許請求の範囲】
【請求項１】
下ケースと、上蓋を有し前記下ケースの上部を覆う上ケース等からなり、内部に集塵体が収容される集塵室、電動送風機が収容されるモータ室等が設けられた本体ケースを有し、
前記下ケースは、前記電動送風機を支持する仕切り板、該仕切り板の両側に設けられて後輪が装着される後輪取付壁、前記仕切り板の下に設けられ底部が開口されたコードリール室、及び通気孔を有し前記集塵室とモータ室との間に突設された隔壁を一体に構成したことを特徴とする電気掃除機。
【請求項２】
前記下ケースの仕切り板に、コードリール室に連通する開口部を設けたことを特徴とする請求項１記載の電気掃除機。
【請求項３】
前記下ケースの後輪取付壁の内側に下方に開口する案内溝を設けると共に、前記後輪取付壁に排気孔を設けたことを特徴とする請求項１又は２記載の電気掃除機。
【請求項４】
前記下ケースの後輪取付壁に装着される後輪に排気孔を設けたことを特徴とする請求項１〜３のいずれかに記載の電気掃除機。
【請求項５】
前記下ケースのコードリール室に収容されるコードリールを、前記コードリール室の底部開口部を閉塞する形状の下蓋と、該下蓋に取付けられるコードリールと、該コードリール上に配設され前記下蓋に固定されるコードリール支持板とを有し、前記下蓋とコードリール支持板とにより前記コードリールを回転自在に支持したコードリール組立体によって構成したことを特徴とする請求項１〜４のいずれかに記載の電気掃除機。
【請求項６】
前記コードリール組立体を、前記下ケースの底部開口部からコードリール室内に挿入し、前記下蓋を下ケースに固定したことを特徴とする請求項５記載の電気掃除機。
【請求項７】
前記下蓋に、排気口を有し前記下ケースの案内溝に嵌入されるガイド部を設けたことを特徴とする請求項５又は６記載の電気掃除機。
【請求項８】
前記下蓋の後壁に、コード引出し口を設けたことを特徴とする請求項５〜７のいずれかに記載の電気掃除機。
【請求項９】
前記コードリール支持板に、前記下ケースの仕切り板に設けた開口部に連通する通気孔を設けたことを特徴とする請求項５〜８のいずれかに記載の電気掃除機。
【請求項１０】
前記コードリールの上フランジに、前記コードリール室に連通する通気孔を設けたことを特徴とする請求項５〜９のいずれかに記載の電気掃除機。
【発明の詳細な説明】
【技術分野】
【０００１】
本発明は、電気掃除機に関するものである。なお、一般に、集塵室、電動送風機等を内蔵した電気掃除機本体、一端に電気掃除機本体に接続される接続口を有し他端に操作部が設けられたホースユニット、このホースユニットに接続される延長管及び延長管に接続される吸込み具を総称して電気掃除機と呼んでいるが、本発明においては、電気掃除機本体を電気掃除機と呼ぶことにする。
【背景技術】
【０００２】
この種の電気掃除機に、電動送風機のモータ部と電動送風機のファン部からなる電動送風機がモータカバーで覆われてモータ騒音を遮蔽しており、電動送風機のファン部の外周囲部を、後方にリブが外向きに形成された防振用のモータクッションで囲み、その上を２分割されたモータカバーの夫々の外縁に内向きの引っ掛けリブが形成され、上部モータカバーと下部モータカバーで囲んで押えて、引っ掛けリブの先端に設けられた突部（爪）が、モータクッションに食い込み強固に固定して、電動送風機９として一体化したものがある（例えば、特許文献１参照）。
【０００３】
また、下ケースの底部に蓋体を設け、両者の間にコード巻取装置を配設し、蓋体を取外すことによりコード巻取装置を外部へ取出すようにした電気掃除機がある（例えば、特許文献２参照）。
【０００４】
【特許文献１】特開２０００−２５３４４９号公報（第３−４頁、図２）
【特許文献２】実公昭４６−３５５７６号公報（第１−２頁、第１図）
【発明の開示】
【発明が解決しようとする課題】
【０００５】
特許文献１の電気掃除機は、次のような問題がある。
（１）集塵室の底部と下ケースの底部とにより二重壁となっているため、重量が増加する。
（２）電動送風機を保持する仕切り板が下ケースとは別部品で形成されているため剛性が低く、振動が発生する。
（３）コードリールを修理したり交換したりする場合は、上ケースを取外して電動送風機を取出すと共に集塵室を分解しなければならないので、きわめて面倒である。
【０００６】
特許文献２の電気掃除機は、蓋体を取外すとコード巻取装置が落下してしまうことがあるなど、コード巻取装置の着脱が面倒である。また、電気掃除機の使用によりコードが発熱して高温になるが、下ケース及び蓋体には通排気手段が設けられていないため、電気掃除機の底部が高温になり、好ましくない。
【０００７】
本発明は、上記の課題を解決するためになされたもので、下ケースを軽量かつ堅牢に形成することにより電動送風機による振動を抑制することができ、また、コードリールのメンテナンス性を向上すると共に、コードリールを効果的に冷却することのできる電気掃除機を提供することを目的としたものである。
【課題を解決するための手段】
【０００８】
本発明に係る電気掃除機は、下ケースと、上蓋を有し前記下ケースの上部を覆う上ケース等からなり、内部に集塵体が収容される集塵室、電動送風機が収容されるモータ室等が設けられた本体ケースを有し、前記下ケースは、前記電動送風機を支持する仕切り板、該仕切り板の両側に設けられて後輪が装着される後輪取付壁、前記仕切り板の下に設けられ底部が開口されたコードリール室、及び通気孔を有し前記集塵室とモータ室との間に突設された隔壁を一体に構成したものである。
【発明の効果】
【０００９】
本発明に係る電気掃除機によれば、軽量で電動送風機による振動を抑制することができ、また、コードリールのメンテナンスが容易で、その上コードシールを効果的に冷却することができる。
【発明を実施するための最良の形態】
【００１０】
［実施の形態１］
図１は本発明の実施の形態１に係る電気掃除機の外観図、図２は図１の縦断面図、図３は図１の分解斜視図である。
本実施の形態に係る電気掃除機は、下ケース１、下ケースした取付けられたシールバッファ４０、インレット４５、上ケース５、化粧板６０を有する上蓋５８及び下ケース１の底部に装着された下蓋６１等によって本体ケースが形成されており、また、下ケース１の底板の前部側には前輪９５が設けられ、後部側の両側にはそれぞれ複数の排気孔９７を有する一対の後輪９６ａ，９６ｂが取付けられている。
【００１１】
また、本体ケースの内部には、集塵体である集塵袋１０２が収容される集塵室１０１、カバー１０６内に収容された電動送風機１０５及びカバー１０６に取付けられた制御部１０７が設置されるモータ室１０３、モータ室１０３の下部に形成されてコードリール組立体６が収容されるコードリール室１０４等が設けられている。以下、上記のような各構成部材について詳細に説明する。
【００１２】
下ケース１は、図２〜図４に示すように、後部側には平面視ほぼ馬蹄形状の開口部１２を有し、電動送風機１０５を支持する仕切り板１１が設けられている。そして、仕切り板１１の両側には、仕切り板１１よりやや下方を中心とし、かつモータ室１０３とコードリール室１０４に跨って、上部から後部にかけてほぼ円弧状で後壁１４に連続する後輪取付壁１３ａ，１３ｂが設けられており、後輪取付壁１３ａ，１３ｂの中心部には後輪９６ａ，９６ｂを回転自在に装着する後輪取付穴１５ａ，１５ｂ（１５ａは図示せず）が設けられている。１６ａ，１６ｂは後輪取付穴１５ａ，１５ｂの内側下部に設けられ、下部が開口された案内溝である。また、後輪取付壁１３ａ，１３ｂにはそれぞれ複数の通気孔１７が設けられており、後輪取付壁１３ａ，１３ｂの内面側の通気孔１７の両側には、横フィルタ１８を装着するためのガイドリブ１９が設けられている。
【００１３】
２０はコード巻取ボタン９７を収納する円筒状の案内筒で、その下部にはコード引出し口２１が設けられている。２２ａ〜２２ｃは仕切り板１１の開口部１２の前部側及び後部側に設けられて、コードリール組立体６を固定するためのねじ挿通孔、２３ａ〜２３ｃ（２３ｂは図示せず）は後輪取付壁１３ａ，１３ｂの前部側及び後壁１４の前部側に設けられ、上ケース５を下ケース１に固定するためのねじ挿通孔、２４は後壁１４に設けられて下蓋６１が係止する係止部、２５は電動送風機１０５を固定するための固定腕である。
【００１４】
２６は仕切り板１１の前面側に突設され、集塵室１０１とモータ室１０３との境界を形成する隔壁で、多数の通気孔２７が設けられており、隔壁２６の前面側には前フィルタ２９を有する取付枠２８が着脱可能に装着される。
３０ａ，３０ｂは車輪取付壁１３ａ，１３ｂの前部側から延設され、隔壁２６の前面側に設けられた下ケース１の底部に連なる側壁で、前面側になるにしたがって徐々に幅狭に形成され、前端部には前面板３１が設けられている。この前面板３１の中心部には逆止弁３３が装着される開口部３２が設けられており、開口部３２の両側及び下部には、集塵室１０１に収容された集塵袋１０２を装着するガイドリブ３４が設けられている。また、開口部３２の上部には、集塵袋１０２を保持するホルダ３５が取付けられている。また、モータ室１０３の下部には、仕切り板１１、後輪取付壁１３ａ，１３ｂ及び隔壁２６で囲まれ、底部が開口されたコードリール室１０４が形成されている。なお、図示してないが、コードリール室１０４の下端縁には、後述の下蓋６１に設けたねじ挿通孔７２ａ，７２ｂに対応してねじ孔が設けられている。
【００１５】
シールバッファ４０は弾性材からなり、集塵室１０１の両側において側壁３０ａ，３０ｂの上部に装着されたバンパーを兼ねた側面シール部４１ａ，４１ｂと、両側面シール部４１ａ，４１ｂの後部側から上方に延設され、隔壁２６の外周を覆う門形の後部シール部４２と、両側面シール部４１ａ，４１ｂの前部側から上方に延設され、前面板３１の上部外周を覆う門形の前部シール部４３とからなっている。
【００１６】
４５はシールバッファ４０の前面シール部４３を含む前面板３１の前面を覆って下ケース１に固定されたインレットで、前面板３１の開口部３２に連通するホース接続口４６が設けられており、上部には係止爪４７が突設されている。
【００１７】
上ケース５は、図２、図３に示すように、下ケース１の後壁１４から隔壁２５及び後輪９６ａ，９６ｂを覆う形状に形成されており、後壁５１には複数の通気孔５２が設けられて、その内側に設けたフィルタガイド（図示せず）と後壁５１との間には後フィルタ５３が装着される。また、後壁５１の上部には、上ケース１に回動自在に装着されたハンドル５４のストッパ５５が突設されている。５６はコード巻取りボタン９８の上部が突出するガイド穴、５７ａ〜５７ｃ（５７ｂ，５７ｃは図示せず）は先端部の両側及び後壁５１側に設けられたねじ孔を有するスタッドである。
【００１８】
５８は後部が上ケース５に回動自在に装着された上蓋で、隔壁２６からインレット４５の上部を覆う形状に形成され、前端部にはインレット４５の係止爪４７に係止する係止片５９が設けられている。６０は上蓋５８に取付けられ、上ケース５の前部側上面と上蓋５８の上面を覆う化粧板である。そして、下ケース１の仕切り板１１と上ケース５との間にはモータ室１０３が形成され、下ケース１の底部と上蓋５８との間には集塵室１０１が形成される。
【００１９】
次に、下蓋６１、コードリール７５及びコードリール支持板８５からなるコードリール組立体６について説明する。
下蓋６１は図５〜図７に示すように、その外形が下ケース１のコードリール室１０４の底部の開口部を閉塞するような形状に形成されており、中心部にはコードリール７５の回転軸を支持する軸受６２が設けられており、軸受６２の周囲にはコードリール７５の下フランジ７６が収容される凹部６３が形成され、外周には後壁６８ａを含む周壁６８が形成されている。６４ａ，６４ｂは周壁６８に連続して凹部６３の両側に設けられて下ケース１の案内溝１６ａ，１６ｂに嵌入されるカイド部で、内側は開口されて排気口６５ａ，６５ｂが形成されている。６６ａ，６６ｂはガイド部６４ａ，６４ｂの近傍に立設され、下蓋６１にコードリール支持板８５を固定するためのスタッドで、上端部には係止爪６７が設けられている。
【００２０】
６９は後壁６７ａの一方の側に、下ケース１のコード引出し口２１に対応して設けられたコード引出し口で、コードガイド７０が装着される。７１は後壁６８ａに設けられ、下ケース１の後壁１４に設けた係止部２４に係止する係止爪、７２ａ，７２ｂは周壁６８の前部側に下ケース１のねじ孔２２ａ，２２ｂに対応して設けられ、下蓋６１を下ケース１にねじ止めするためのネジ挿通孔である。
【００２１】
コードリール７５は、図５、図８に示すように、下フランジ７６と上フランジ７７及び両者を連結してコード８１が巻かれるコード巻取り部（図示せず）からなり、上フランジ７７の上面中心部には一対の係止爪７８が突設され、係止部７８の周囲には凹部７９が形成されて、その外周の平坦部には複数の通気孔８０が設けられている。なお、図示してないが、下フランジ７６の下面中心部には回転軸が突設されており、その外周に設けた凹部にはコード８１を巻取る渦巻きばねが介装されている。
コードリール７５の上面に取付けられるコードリール支持板８５は、中心部にコードリール７５の係止爪７８が係止する係止部８７を有し、その周囲にコードリール７５の凹部７９に対応して下方に突出する凹部８８が設けられ、その外周は下ケース１の開口部１２に対応して平坦なほぼ馬蹄形状に形成されて、複数の通気孔９０が設けられた周壁を有する周縁部８９からなる本体部８６と、本体部８６の後部側の両側に張り出した下蓋６１への取付腕９１ａ，９１ｂとからなり、取付腕９１ａ，９１ｂには下蓋６１のスタッド６６ａ，６６ｂに設けた係止爪６７が係止する係止部９２が設けられている。９３ａ〜９３ｃは下ケース１に設けたねじ挿通孔２２ａ〜２２ｃに対応して設けられたねじ孔、９４はコード８１のブレーキハンドルである。
【００２２】
上記のようなコードリール支持板８５は、コードリール７５のフランジ７７の凹部７９に、凹部８８によって下面に形成された突部を嵌入すると共に、コードリール７５の係止爪７８を係止部８７に係止して、回転自在に取付けられる。
そして、コードリール７５の下フランジ７６の下面に設けた回転軸を下蓋６１の軸受６２に挿入すると共に、下フランジ７６を凹部６３内に収容する。ついで、下蓋６１のスタッド６６ａ，６６ｂに設けた係止爪６７を、図１０に示すように、コードリール支持板８５の取付腕９１ａ，９１ｂに設けた係止部９２に係止して一体化し、コード８１のプラグ８２を下蓋６１のコード引出し口６９に装着したコードガイド７０を介して外部に取出す。これにより、図９に示すようなコードリール組立体６が形成される。なお、コードリール支持板８５の下蓋６１への取付けにあたっては、図１０に示すように、スタッド６６ａ，６６ｂに設けた係止爪６７を係止部９２に係止する場合を示したが、これに限定するものではなく、例えば、スタッドをコードリール支持板８５の取付腕９１ａ，９１ｂに設けた穴に圧入し、あるいはねじ止めする等、他の手段を用いてもよい。
【００２３】
電動送風機１０５は、図１１に示すように、モータ１０５ａ、送風機１０５ｂ及び送風機１０５ｂの外周に装着されるリング状の弾性部材１０５ｃからなり、底部及び一方の側壁に排気口１０６ａ，１０６ｂを有するモータカバー１０６内に収容される。そして、モータカバー１０６の他方の側壁には、多数の電子部品が搭載された基板１０７ａ及びカバー１０７ｂからなる制御部１０７が取付けられている。なお、電動送風機１０５とモータカバー１０６の排気口１０６ａ，１０６ｂとの間には、フィルタ（図示せず）が配設される。
【００２４】
次に、上記のように構成した本発明に係る電動送風機の組立手順の一例について説明する。なお、下ケース１にはシールバッファ４０、インレット４５、前輪９５及び後輪９６ａ，９６ｂがあらかじめ取付けられているものとし、上ケース５にはハンドル５４及び化粧板６０を有する上蓋５８があらかじめ取付けられているものとする。また、コードリール組立体６及び電動送風機１０５もあらかじめ組立てられているものとする。
【００２５】
先ず、下ケース１を上下を逆にし、仕切り板１１、後輪取付壁１３ａ，１３ｂ及び隔壁２６で囲まれたコードリール室１０４の下端縁に、ガイド部６４ａ，６４ｂを案内溝１６ａ，１６ｂに嵌入して位置決めしつつコードリール組立体６の下蓋６１を当接し、その係止爪７１を下ケース１の後壁１４に設けた係止部２４に係止させる。そして、前面側に設けたねじ挿通孔７２ａ，７２ｂに挿入したねじを、コードリール室１０４の下端縁に設けたねじ孔（図示せず）に螺入し、固定する。また、コード巻取りボタン９８を案内筒２０に挿入して、その先端部をブレーキハンドル９４に係止させる。
【００２６】
このとき、コードリール組立体６のコードリール支持板８５が仕切り板１１の開口部１２内に挿入され、また、コードリール７５のコード巻取り部は、下ケース１の案内溝１６ａ，１６ｂから後輪９６ａ，９６ｂに設けた通気孔９７に連通する。この状態で下ケース１を元の状態に戻し、下ケース１に設けたねじ挿通孔２２ａ〜２２ｃに挿通したねじをコードリール支持板８５のねじ孔９３ａ〜９３ｃに螺入し、固定する。これによりコードリール組立体６は下ケース１のコードリール室１０４内に取付けられる。
【００２７】
次に、電動送風機１０５が収容され、制御部１０７が取付けられたモータカバー１０６をモータ室１０３内に収容して仕切り板１１上に載置し、その前面側を隔壁２６に係止させると共に、後面側を固定腕２５に固定する。このとき、モータカバー１０６の底部に設けた排気口１０６ａは仕切り板１１の開口部１２上に位置する。
【００２８】
ついで、上蓋５８が連結された上ケース２５をモータ室１０３上に載置する。このとき、ねじ孔を有するスタッド５７ａ〜５７ｃは下ケース１のねじ挿通孔２３ａ〜２３ｃにそれぞれ当接（又は嵌合）し、コード巻取りボタン９８はガイド穴５６から露出する。
ついで、ねじ挿通孔２３ａ〜２３ｃの下から挿通したねじを、スタッド５７ａ〜５７ｃのねじ孔に螺入し、固定する。これにより、上ケース５、上蓋５８、化粧板６０は下ケース１に取付けられ、下ケース１の底部と上蓋５８との間には、集塵室１０１が形成される。
【００２９】
次に、上記のように構成した本発明に係る電気掃除機の作用について説明する。
従来の電気掃除機と同様に、集塵室１０１に集塵袋１０２をセットし、ホース接続口４６にホースを接続してプラグ８２を電源に接続し、電源スイッチをＯＮする。
これにより、電動送風機１０５が駆動され、床面等の塵埃が吸込具により空気と共に吸引され、集塵袋１０２に吸込まれる。ここで塵埃は集塵袋１０２内に貯留され、分離した空気は前フィルタ２９で清浄化され、電動送風機１０５側に流入して電動送風機１０５を冷却する。これまでの作用は従来の電気掃除機の場合と同様である。
【００３０】
電動送風機１０５を冷却した空気の一部は、フィルタを介してモータカバー１０６の側壁に設けた排気口１０６ｂから排出され、横フィルタ１８及び後フィルタ５３によってさらに清浄化され、後輪取付壁１３ｂの排気口１７、後輪９６ｂの排気孔９７、及び上ケース５に設けた排気口５２から排出される。また、一部の空気は制御器１０７を冷却したのち、横フィルタ１８でさらに清浄化され、後輪取付壁１３ａ及び後輪９６ａの排気孔１７，９７から排出される。
【００３１】
また、電動送風機１０５を冷却した空気の一部は、フィルタを介してモータカバー１０６の底部に設けた排気口１０６ａから排出され、仕切り板１１の開口部１２、コードリール組立体６のコードリール支持板８５及びコードリール７５の上フランジ７７に設けた通気孔９０，８０からコードリール室１０４に流入し、コード８１を冷却したのちガイド部６４ａ，６４ｂの排気口６５ａ，６５ｂを通り、後輪９６ａ，９６ｂの排気孔９７から排出される。
【００３２】
コードリール７５を修理や交換のため下ケース１から取出す場合は、上ケース２５を取外して電動送風機１０５を取出し、仕切り板１１に設けたねじ挿通孔２２ａ〜２２ｃから螺入したねじを外すと共に、下蓋６１を固定するねじを外し、下蓋６１、コードリール７５、コードリール支持板８５からなるコードリール組立体６を下ケース１の下から取出せばよい。
【００３３】
［実施の形態２］
実施の形態１では、下蓋６１、コードリール７５及びコードリール支持板８５からなるコードリール組立体６を、下ケース１の下からコードリール室１０４に挿入し、コードリール支持板８５を下ケース１の仕切板１１にねじ止めすると共に、下蓋６１を下ケース１にねじ止めして取付ける場合を示したが、本実施の形態は、コードリール組立体６の下ケース１への固定及び着脱をより簡単にしたものである。
【００３４】
本実施の形態は、例えば図５の下ケース１に設けたねじ挿通孔２２ａ〜２２ｃを省略して、その位置に下方に開口する位置決め手段である凹部を設けると共に、下ケース１の係止部２４を省略してその近傍に第３のねじ孔を設ける。また、例えば図６のコードリール支持板８５のねじ孔９３ａ，９３ｂの位置に、上記の凹部に嵌合する位置決め手段である凸部を設けると共に、下蓋６１の係止爪７１を省略して下ケース１に設けた第３のねじ孔に対応して第３のねじ挿通孔（例えば７２ｃ）を設けたものである。
【００３５】
本実施の形態において、コードリール組立体６を下ケース１に取付けるにあたっては、下蓋６１のガイド部６４ａ，６４ｂを案内溝１６ａ，１６ｂに嵌入しつつ、コードリール支持板８５を仕切り板１１の開口部１２に嵌合すると共に、これに設けた位置決め用の凸部を下ケース１の位置決め用の凹部に嵌合して位置決めする。そして、下蓋６１の外周縁をコードリール室１０４の下端縁に当接し、ねじ挿通孔７２ａ〜７２ｃに下から挿通したねじを上記下端縁に設けたねじ孔に螺入し、固定する。
【００３６】
本実施の形態において、修理や交換のためにコードリール７５を下ケース１から取出す場合は、下蓋６１を固定するねじを外してコードリール室１０４からコードリール組立体６を下方に引出せばよく、上ケース５や電動送風機１０５を取外す必要がないので、着脱がきわめて容易である。
【００３７】
上記のように構成した本発明によれば、次のような効果が得られる。
（１）電動送風機１０５を保持する仕切り板１１を下ケース１と一体に構成したので、仕切り板１１の剛性を高くすることができ、これにより電動送風機１０５へ振動を抑制することができる。
（２）下ケース１の底面の一部を別部品である下蓋６１で構成し、二重壁の部分をなくしたので、部品点数が減り、重量の軽減化をはかることができる。
【００３８】
（３）下ケース１のモータ室１０３の両側に案内溝１６ａ，１６ｂを設けると共に、下蓋６１の両側にこの案内溝１６ａ，１６ｂに嵌入するガイド部６４ａ，６４ｂを設けたので、下ケース１にコードリール組立体６を装着する際の位置決めが容易であり、作業性が向上する。
（４）コードリール組立体６は、コードリール支持板８５を下ケース１の仕切り板１１に固定し、下蓋６１を下ケース１の下面に固定するようにしたので、下ケース１に確実かつ強固に取付けることができる。
（５）下蓋６１のほぼ中央部にコードリール７５の回転軸を支持する軸受を設け、また、下蓋６１にコードリール支持板８５の取付腕９１ａ，９１ｂを固定する固定部を設けたので、コードリール組立体６の組立が容易である。
【００３９】
（６）下蓋６１にコード８１の引出し口６９又はコードガイド７０の取付け部を設けたので、コードリール組立体６を下ケース１に組込む際にコード８１やプラグ８２を挟み込むことがなく、プラグ８１を所定の位置に保持することができる。
（７）電動送風機１０５を冷却して下ケース１の仕切り板１１に設けた開口部１２から流出した空気は、コードリール組立体６のコードリール支持板８５及びコードリール７５の上フランジ７７に設けた通気口９０，８０からコードリール室１０４に流入し、コード８１を冷却したのちガイド部６４ａ，６４ｂの排気口６５ａ，６５ｂを通り、後輪９６ａ，９６ｂの排気孔９７から排出されるので、コード８１を効果的に冷却することができる。
【００４０】
（８）下蓋６１の側面の後輪９６ａ，９６ｂの近傍に排気口６５ａ，６５ｂを設けたので、コードリール室１０４からの排気が後輪９６ａ，９６ｂに当ったのち排気孔９７から排出されるため、排気口６５ａ，６５ｂから直接排気することがなく、排気の分散により塵埃の舞い上りを小さく抑えることができる。
（９）コードリール７５の修理や交換を行う場合は、上ケース５及び電動送風機１０５を取外してコードリール組立体６のコードリール支持体８５を固定するねじ及び下蓋６１を固定するねじを外せばよいので簡単であり、特に、実施の形態２においては、下蓋６１のねじを外すだけでコードリール組立体６をコードリール室１０４から取出すことができるので着脱がきわめて簡単である。
なお、コードリール室１０４に、コードリール組立体６に代えてバッテリを設置すれば、同じ構造の電気掃除機によりコードレス化をはかることができる。この場合もバッテリを交換する場合は下蓋６１を外すだけでよいので、きわめて容易である。
【図面の簡単な説明】
【００４１】
【図１】本発明の実施の形態１に係る電気掃除機の外観図である。
【図２】図１の縦断面図である。
【図３】図１の分解斜視図である。
【図４】図１の下ケースの上面斜視図である。
【図５】図２のコードリール組立体の分解斜視図である。
【図６】図５の下蓋の上面斜視図である。
【図７】図６の下蓋の下面斜視図である。
【図８】図５のコードリールにコードリール支持板を取付けた状態を示す斜視図である。
【図９】図６の下蓋に図８のコードリールを取付けた状態を示す斜視図である。
【図１０】図９の下蓋にコードリール支持板を取付ける手段を示す説明図である。
【図１１】図２の電動送風機の分解斜視図である。
【符号の説明】
【００４２】
１  下ケース、１１  仕切り板、１２  開口部、１３ａ，１３ｂ  後輪取付壁、１６ａ，１６ｂ  案内溝、１７  排気孔、２６  隔壁、３１  前面板、４０  シールバッファ、４５  インレット、５  上ケース、５８  上蓋、６  コードリール組立体、６１  下蓋、６４ａ，６４ｂ  ガイド部、６９  コード引出し口、７５  コードリール、８０  通気孔、８１  コード、８５  コードリール支持板、９０  通気孔、９１ａ，９１ｂ  取付腕、９６ａ，９６ｂ  後輪、９７  排気孔。
【図１】
2005261658.tif 000003
【図２】
2005261658.tif 000004
【図３】
2005261658.tif 000005
【図４】
2005261658.tif 000006
【図５】
2005261658.tif 000007
【図６】
2005261658.tif 000008
【図７】
2005261658.tif 000009
【図８】
2005261658.tif 000010
【図９】
2005261658.tif 000011
【図１０】
2005261658.tif 000012
【図１１】
2005261658.tif 000013